(57)【要約】  【課題】アジャスタの回転防止の問題に善処しつつ、安定脚を簡単、適切に導入できるようにした新規有用なベースを提供する。【解決手段】家具本体２を支持すべく、架材１４の一部にほぼ鉛直方向のねじ孔３ａを設け、このねじ孔３ａにアジャスタ４の軸部４１を螺合させてなるベース１において、架材１４の側面１４ｂ１に安定脚５を、架材１４の長手方向に対してもこれと直交する方向に対しても位置ずれしない状態でアジャスタ調整方向に相対移動可能に添接させ、この安定脚５の一部を床Ｆに固定して使用し得るようにした。  【選択図】図２
2008228933.tif 000002
【特許請求の範囲】
【請求項１】
家具本体を支持すべく、架材の一部にほぼ鉛直方向のねじ孔を設け、このねじ孔にアジャスタの軸部を螺合させてなるものであって、
前記架材の側面に安定脚を、平面方向への位置ずれを規制した状態でアジャスタ調整方向に相対移動可能に添接させ、この安定脚の一部を床に固定して使用し得るようにしたことを特徴とするベース。
【請求項２】
安定脚を、その立面部と架材の側面との間に設けた連結部を介して架材に分離しないように付帯させている請求項１記載のベース。
【請求項３】
連結部が、架材の側面に固定した支軸と、安定脚の立面部に設けられて前記支軸と上下移動可能に係り合うガイド溝とから構成される請求項１又は２記載のベース。
【請求項４】
架材の側面に支軸を一体的に付帯させておき、この支軸に、安定脚の立面部に設けたガイド溝を上下移動可能に係り合わせて連結部を構成するようにしている請求項１記載のベース。
【請求項５】
連結部が、架材の長手方向に沿った側面のうち、アジャスタの軸部に対して最近傍位置もしくは極近傍位置に設けてある請求項３又は４記載のベース。
【請求項６】
安定脚が、板材を折り曲げることによって水平部から立面部を立ち上げ、水平部に床固定用の孔を設けるとともに、立面部にガイド溝を設けたものである請求項１〜５記載のベース。
【請求項７】
請求項６記載のベースの四隅近傍部に安定脚を取り付け、そのベース上に家具本体を載せ置いて構成されることを特徴とする家具。
【発明の詳細な説明】
【技術分野】
【０００１】
本発明は、アジャスタ機能を有するベースに適切に安定脚を付加できるようにした当該ベース及び家具に関するものである。
【背景技術】
【０００２】
この種のベースとして、例えば特許文献１，２等に示されるものが知られている。これらのものは、家具本体を支持するベースの架材にアジャスタを配置し、このアジャスタの軸部を回転操作する際にアジャスタの基端に形成した床固定片を有する脚部が回転しないように、その脚部を床に設置した上向きチャネル状のレール部材に嵌め込んで、レールの水平部から立ち上がった面板部でアジャスタの脚部の回転を防止しつつ、その脚部の床固定片を床に固定してベースの耐震性を高めるようにしている。
【特許文献１】実公昭６０−２６６７１号公報
【特許文献２】実公昭６３−１３７２６号公報
【発明の開示】
【発明が解決しようとする課題】
【０００３】
ところが、このような構造を採用しようとすると、既存の一般的なアジャスタを有するベースを上記の固定片付きの脚部を有するアジャスタに付け替え、しかも新たにレールを採用して、このレールを床に置き敷いてベースに付帯するアジャスタを嵌め合わせなければならない。このため、アジャスタの回転防止機能及び床固定機能を得るために多くの部品や作業が必要になるという問題がある。
【０００４】
本発明は、このような課題に着目してなされたものであって、アジャスタの回転防止の問題に善処しつつ、床固定のための安定脚を簡単、適切に導入できるようにした新規有用なベース及びこれを用いた家具を提供することを目的としている。
【課題を解決するための手段】
【０００５】
本発明は、かかる目的を達成するために、次のような手段を講じたものである。
【０００６】
すなわち、本発明は、家具本体を支持すべく、架材の一部にほぼ鉛直方向のねじ孔を設け、このねじ孔にアジャスタの軸部を螺合させてなるベースにおいて、前記架材の側面に安定脚を、平面方向への位置ずれを規制した状態でアジャスタ調整方向に相対移動可能に添接させ、この安定脚の一部を床に固定して使用し得るようにしたことを特徴とする。
【０００７】
このようにすると、そもそも安定脚がアジャスタ調整に伴って回転する構造ではないので、回転防止のための構造が不要になる。しかも、アジャスタを存置したままで架材の側面に安定脚を添接させるだけであるから、アジャスタの交換の必要もなく、安定脚の追加や後付けだけで対応が可能となる。さらに、床への固定後にもアジャスタ調整ができるため、簡素な構造で取扱いの便も有効に向上させることができる。
【０００８】
物流、設置時の取り扱いに便ならしめるためには、安定脚を、その立面部と架材の側面との間に設けた連結部を介して架材に分離しないように付帯させていることが望ましい。
【０００９】
具体的な実施の態様としては、連結部が、架材の側面に固定した支軸と、安定脚の立面部に設けられて前記支軸と上下移動可能に係り合うガイド溝とから構成されているものが挙げられる。
【００１０】
或いは、安定脚を容易に後付けできるようにするためには、架材の側面に支軸を一体的に付帯させておき、この支軸に、安定脚の立面部に設けたガイド溝を上下移動可能に係り合わせて連結部を構成できるようにしておくことが望ましい。
【００１１】
安定脚によってアジャスタを適切に補助するためには、上記の連結部を、架材の長手方向に沿った側面のうち、アジャスタの軸部に対して最近傍位置もしくは極近傍位置に設けておくことが望ましい。
【００１２】
安定脚を簡易に構成するためには、板材を折り曲げることによって水平部から立面部を立ち上げ、水平部に床固定用の孔を設けるとともに、立面部にガイド溝を設けておくことが望ましい。
【００１３】
本発明のベースは、以上のような構成であるから、ベースの四隅近傍部に安定脚を取り付け、そのベース上に家具本体を載せ置いて家具を構成した場合に、施工作業の効率化と設置状態の安定化とを簡単かつ有効に向上させることが可能となる。
【発明の効果】
【００１４】
本発明は、以上説明したように、架材の側面に安定脚を、平面方向への位置ずれを規制した状態でアジャスタ調整方向に相対移動可能に添接させ、この安定脚の一部を床に固定して使用し得るようにしたため、アジャスタ機能を有するベースに安定脚を付加するだけでベースの安定性や耐震性を簡単、適切に向上させることが可能となる。
【発明を実施するための最良の形態】
【００１５】
以下、本発明の一実施形態を、図面を参照して説明する。
【００１６】
図１に示すものは、ベース１上に保管庫等の家具本体２を載せ置いた家具を示している。
【００１７】
ベース１は、家具本体２の形状に対応させて、図２及び図３に示すように、断面コ字形の前枠１１、後枠１２及び左右の側枠１３を矩形の枠体状に組み付けたもので、その枠体の左右の側枠１３の直ぐ内側に、前枠１１と後枠１２の間に亘って前後方向に延びる上向き凹形状の架材１４を架け渡している。そして、このベース１の四隅近傍において、前記架材１４を利用してアジャスタ４を取り付けるとともに、このアジャスタ４の近傍に安定脚５を取り付けて、家具本体２を載せ置く前または載せ置いた後においてアジャスタ調整及び安定脚５の床固定を適正に行い得るようにしている。
【００１８】
具体的に説明すると、アジャスタ４は、図４及び図５に示すように、架材１４に設けられて設置状態でほぼ鉛直方向のねじ孔３ａを有するナット部材３に軸部４１を螺合させることによって取り付けられる。
【００１９】
架材１４は、底板１４ａの両側に側板１４ｂを起立させその上端側に鍔部を有した逆ハット状をなすもので、底板１４ａにねじ通過孔１４ｃを設け、このねじ通過孔１４ｃに前述したねじ孔３ａが合致するようにその底板１４ａの下にナット部材３を強固に取り付けている。勿論、ナット部材３は底板１４ａの上に固定してもよく、またナット部材３に代えて底板１４ａそれ自体にねじ孔を設けても構わない。
【００２０】
一方、アジャスタ４は、板材に逆皿状の膨出部４０ａを形成することによって脚部４０を構成し、この膨出部４０の空洞内に軸部４１の一端部４１ａを配置して、当該軸部４１の一端部４１ａの近傍をかしめることにより、軸部４１を膨出部４０ａの頂壁部分に回転自在にかつ軸方向にほとんど変位し得ない状態で支持させたものである。前記軸部４１の他端部４１ｂ側には、レンチやドライバ等の工具を用いて軸部４１を回転操作することのできる角穴や溝などの係合部４１ｃが設けてある。
【００２１】
そして、このアジャスタ４の軸部４１を前述した架材１４に付帯するナット部材３のねじ孔３ａに下方から螺合させ、軸部４１の他端部４１ｂを架材１４の底板１４ａに設けたねじ通過孔１４ｃを通過させて架材１４の内部に進入させている。
【００２２】
また、この実施形態は、前記架材１４の側面（側板１４ｂの外面）１４ｂ１に安定脚５を、平面方向への位置ずれを規制した状態でアジャスタ調整方向に相対移動可能に添接させ、この安定脚５の一部を床Ｆに固定して使用し得るようにしている。
【００２３】
この安定脚５は、板材を折り曲げることによって水平部５１から立面部５２を立ち上げた略Ｌ字状のもので、水平部５１に床固定用の孔５１ａを設けるとともに、架材１４の側面１４ｂ１に添接させるべき立面部５２に上下方向に延びる長孔状のガイド溝５２ａを設けている。
【００２４】
そして、架材１４の側板１４ｂに肉厚方向の貫通孔１４ｂ２を設けて、この貫通孔１４ｂ２及び前記ガイド溝５２ａに支軸５３を挿し通し、その支軸５３の両端に適宜の抜け止め手段５３ａ、５３ｂを施すことにより連結部Ａを構成して、この連結部Ａを介して安定脚５を架材１４に分離しないように一体的に付帯させている。この連結部Ａは、架材１４の長手方向に沿った側面１４ｂ１のうち、アジャスタ４の軸部４１に最も近い位置若しくはその極近傍位置に構成されている。ガイド溝５２ａには、アジャスタ４が接地した状態でアジャスタ調整に伴い支軸５３がアジャスタ調整範囲で図４及び図５において上下動した際に、その支軸５３の挙動を妨げない程度の長手寸法が与えられている。抜け止め手段５３ａ、５３ｂには、支軸５３の頭部が拡径している場合にはこの頭部を利用できるほか、端部に嵌め合わされるダブルナットやＣリング、或いはかしめ等によって形成することができる。
【００２５】
このようにして、各アジャスタ４を図２及び図３に示すようにベース１の四隅近傍に架材１４を介して取り付けた状態で、このベース１は設置場所に運搬され、床Ｆに置き敷かれる。そして、置き敷いた際に安定脚５は何れも、この実施形態では図３に示すように左右の架材１４から幅方向中央側を向いた状態となる。そして、上方からアジャスタ４の軸部４１に設けた係合部４１ｃに工具を係り合わせて回転操作することで、図５において軸部４１が脚部４０に支持されたまま回転し、その状態で架材１４に設けたねじ孔３ａをねじ送りして、ベース１が所定高さで水平に安定接地するようにアジャスタ調整を行うことができる。その際、安定脚５と架材１４との連結部Ａを構成する支軸４１はガイド溝５２ａ内を上下に遊動するだけで、どの調整位置においても安定脚５の水平部５１を床Ｆ上に接地させることができる。このため、アジャスタ調整前あるいは調整後の何れのタイミングにおいても、床固定用の孔５１ａよりアンカーボルトＶを打ち込んで安定脚５を床Ｆに固定することができる。床固定後、この安定脚５はアジャスタ４を補助してより広い接地面積を確保するとともに、ベース１の傾倒時に架材１４の側面１４ｂ１を立面部５２で支持して、耐震性の向上にも資するものとなる。
【００２６】
そして、最後に図１に示すようにベース１上に家具本体２を載せ置くことによって、家具の設置が完了する。勿論、家具本体２の底板（図示せず）に工具挿入用の孔を設けておけば、家具本体２をベース１上に載せ置いた後でもアジャスタ調整を行うことができる。この場合、孔は通常樹脂キャップ等で閉止しておけばよい。家具本体２とベース１との間は、必要に応じ適宜位置にてビス止め等により固定される。
【００２７】
以上のように、本実施形態は、家具本体２を支持すべく、架材１４の一部にほぼ鉛直方向のねじ孔３ａを設け、このねじ孔３ａにアジャスタ４の軸部４１を螺合させてなるベース１に対して、架材１４の側面１４ｂ１に安定脚５を、架材１４の長手方向及びこれと直交する方向に対して位置ずれしない状態でアジャスタ調整方向に相対移動可能に添接させ、この安定脚５の一部を床Ｆに固定して使用し得るようにしたものである。
【００２８】
このようにすると、そもそも安定脚５がアジャスタ調整に伴って回転することがないので、回転止めなどの構造が不要になる。しかも、安定脚５を架材１４の側面１４ｂ１に添接させるだけであるから、ベース１のアジャスタ４を存置して安定脚５の追加や後付けだけで対応が可能となり、また床Ｆへの固定後にもアジャスタ調整ができるため、簡素な構造にして取扱いの便も有効に向上させつつ、安定脚５によりベース１の安定度をより有効に高めることができる。勿論、安定脚５の形状や寸法をアジャスタ調整後の枠材１４の高さ等に応じて加工、準備する必要もないため、現場の状況によらず一律に適用できるものとなる。
【００２９】
特にこの実施形態は、安定脚５を、その立面部５２と架材１４の側面１４ｂ１との間に設けた連結部Ａを介して架材１４に分離しないように付帯させているので、例えばアジャスタ４の脚部４０に安定脚を一体的に取り付けた場合のように物流、設置時に安定脚５が首振り動作等を起こして邪魔になるといったがなく、常に適切な状態で一体的に取り扱うことができる。しかも、ベース１を床Ｆ上に設置すれば安定脚５は所定の方位を向くため、ここでもアジャスタ４の脚部４０に安定脚を一体的に取り付けた場合のように安定脚５が思わぬ方向を向くといった不都合がなく、直ちに床固定作業等に入ることができ、これらにより運搬、施工の便を有効に向上させることができる。また、アジャスタ調整後に架材１４と床Ｆとの入り隅部にＬ字状の安定脚を当てがって固定するといった手法と比べても、現場での孔明け作業等が不要であり、安定脚の紛失の恐れもなく、その上、床Ｆへの固定後にアジャスタ調整ができるなど、種々の利点を有することとなる。
【００３０】
具体的な構造としては、連結部Ａが、架材１４の側面１４ｂ１に固定した支軸５３と、安定脚５の立面部５２に設けられて支軸５３と上下移動可能に係り合うガイド溝５２ａとから構成されるだけなので、アジャスタ調整機能を損なうことなく極めてシンプルな構造で安定脚５の導入によるベース１の安定性向上を図ることができる。
【００３１】
特に、連結部Ａが、アジャスタ４の軸部４１に対して最近傍位置もしくは極近傍位置に設けてあり、架材１４が傾く際にはアジャスタ４による支持部分を支点に傾動するため、最寄の位置に設けた安定脚５によってこれを直接的かつ効果的に支持することができる。
【００３２】
さらに、安定脚５が、板材を折り曲げることによって水平部５１から立面部５２を立ち上げ、水平部５１に床固定用の孔５１ａを設けるとともに、立面部５２にガイド溝５２ａを設けただけの構成であるから、簡単な構造で本発明を有効に実現することができる。
【００３３】
そして、このようなベース１の四隅近傍部に安定脚５を取り付け、そのベース１上に家具本体２を載せ置いて家具を構成すれば、当該家具の施工作業の効率化と設置状態の安定性とを簡単かつ有効に向上させることが可能となる。
【００３４】
以上、本発明の一実施形態について説明したが、各部の具体的な構成は、上述した実施形態のみに限定されるものではない。
【００３５】
例えば、上記の安定脚５において、水平部５１と立面部５２の入り隅部を補強する位置にリブを設けておくこと等も有効である。このリブは、水平部５１又は立面部５２の何れか一方の側縁から折り曲げ形成し、さらに必要であれば所要箇所を溶接するなどすれば、簡単に形成できて、安定脚５の剛性を有効に高めることができる。
【００３６】
或いは、図６に示すように、架材１４の側面１４ｂ１に支軸１５３を一体的に付帯させておき、安定脚５を付加したい場合には、この支軸１５３に、安定脚５の立面部５２に設けたガイド溝５２ａを上下移動可能に係り合わせるとともに、支軸１５３の先端をかしめるなど適宜の抜け止め手段を施すことによって、架材１４に容易に安定脚５を取り付けることができる。
【００３７】
このようにすると、少なくとも架材１４に支軸１５３が一体的に付帯してさえいれば、必要に応じていつでも安定脚５を追加することができるので、架材１４に殆ど作り込みをすることなく、オプションで安定脚５を後付けするような態様も有効に採用することが可能となる。なお、このような支軸１５３を設けたとしても、図２及び図３のようなベース構造であればベース１を構成する枠体の内側の架材１４に支軸１５３が存在するだけであるから、安定脚５を用いない場合に特に不都合となることもない。
【００３８】
或いは、図示しないが少なくとも架材１４に支軸を挿し通すための孔を設けておけば、必要に応じて安定脚５の立面部５２を添接させ、その孔と安定脚５のガイド溝５２ａとに支軸を挿し通すだけで、やはり安定脚５を容易に後付けすることができる。
【００３９】
さらに、図7に示すように、支軸２５３の頭部２５３ａを拡径させる一方、ガイド溝５２ａのうちアジャスタ調整範囲においては支軸２５３の位置しない部位に拡幅部５２ａｘを設けておき、この拡幅部５２ａｘから支軸２５３の頭部２５３ａを挿入してガイド溝５２ａの通常の係り合い位置に支軸２５３を移動させるようにしてもよい。このようにすると、かしめ等の抜け止め手段を構成する作業を不要にすることができ、作業の便をより簡便化することができる。
【００４０】
その他の構成も、本発明の趣旨を逸脱しない範囲で種々変形が可能である。
【図面の簡単な説明】
【００４１】
【図１】本発明の一実施形態に係るベース上に家具本体を載せ置いて構成した家具の斜視図。
【図２】同ベースの斜視図。
【図３】図２の平面図。
【図４】同ベースに安定脚を付帯させた状態を示す部分拡大斜視図。
【図５】図４に対応した部分拡大縦断面図。
【図６】本発明の他の実施形態を示す図４に対応した斜視図。
【図７】本発明のさらに他の実施形態を示す図４に対応した斜視図。
【符号の説明】
【００４２】
Ａ…連結部
１…ベース
２…家具本体
３ａ…ねじ孔
４…アジャスタ
５…安定脚
１４…架材
１４ｂ１…側面
４１…軸部
５１…水平部
５１ａ…床固定用の孔
５２…立面部
５２ａ…ガイド溝
【図１】
2008228933.tif 000003
【図２】
2008228933.tif 000004
【図３】
2008228933.tif 000005
【図４】
2008228933.tif 000006
【図５】
2008228933.tif 000007
【図６】
2008228933.tif 000008
【図７】
2008228933.tif 000009